(57)【要約】【課題】ノイズの発生を抑制すると共に装置の省スペース化を図ったチェーン張力測定装置を提供する。【解決手段】チェーンリンク等の被測定部材に固定されるひずみゲージ１６と該ひずみゲージ１６の出力を無線送信する前記被測定部材に固定される集積回路からなる送信モジュール１５と、前記ひずみゲージ及び前記送信モジュールに電力を供給する給電手段とからなるチェーン張力測定装置において、前記ひずみゲージ１６と前記送信モジュール１５が同一リンクに配置されていることによって、上記の目的を達成するものである。【選択図】図１
2007051892.tif 000002
【特許請求の範囲】
【請求項１】
チェーンリンク等の被測定部材に固定されるひずみゲージと該ひずみゲージの出力を無線送信する前記被測定部材に固定される集積回路からなる送信モジュールと、前記ひずみゲージ及び前記送信モジュールに電力を供給する給電手段とからなるチェーン張力測定装置において、
前記ひずみゲージと前記送信モジュールが同一リンクに配置されていることを特徴とするチェーン張力測定装置。
【請求項２】
前記ひずみゲージは硬い接着剤で、前記送信モジュールは軟らかい接着剤で、同一リンクに固定されていることを特徴とする請求項１に記載のチェーン張力測定装置。
【請求項３】
前記ひずみゲージが固定されているリンクが断面コ字状のフレームによって覆われ、前記フレーム上に前記送信モジュールと前記給電手段としての電池が固定されていることを特徴とする請求項１又は請求項２に記載のチェーン張力測定装置。
【発明の詳細な説明】
【技術分野】
【０００１】
この発明は、チェーン張力測定装置に係わり、更に詳しくは、ひずみゲージを用いたチェーン張力測定装置に関している。
【背景技術】
【０００２】
従来、チェーンに掛かる張力の測定装置としては、小型のひずみゲージからなるセンサを被測定部材としてのチェーンの少なくとも１箇所に取り付け、センサ出力を無線で送信し、受信機で受信することによって、稼動中のチェーンの張力を測定するものが提案されている（例えば、本出願人によって先に特許出願された特願２００４−２５５１６８号参照）。
【発明の開示】
【発明が解決しようとする課題】
【０００３】
しかしながら、従来のチェーン張力測定装置では、チェーンのサイズ的制約によりセンサを取り付ける位置（リンク）と無線機を取り付ける位置（リンク）を違う位置にしていた。そのためセンサから無線機までの信号線が長くなり計測値にノイズが乗る原因になっていた。また、チェーンの動きに同調して信号線が屈曲するため、ピエゾ効果により、ノイズが発生する原因にもなっていた。さらに、幾つものリンクにセンサや無線機が分散して設置されるため装置が大型化するという課題も指摘されていた。
【０００４】
そこで、本発明の目的は、ノイズの発生を抑制すると共に装置の省スペース化を図ったチェーン張力測定装置を提供することにある。
【課題を解決するための手段】
【０００５】
請求項１に係るチェーン張力測定装置は、チェーンリンク等の被測定部材に固定されるひずみゲージと該ひずみゲージの出力を無線送信する前記被測定部材に固定される集積回路からなる送信モジュールと、前記ひずみゲージ及び前記送信モジュールに電力を供給する給電手段とからなるチェーン張力測定装置において、前記ひずみゲージと前記送信モジュールを同一リンクに配置することによって、上記の課題を解決するものである。
【０００６】
請求項２に係るチェーン張力測定装置は、請求項１に係るチェーン張力測定装置の構成に加えて、ひずみゲージは硬い接着剤で、送信モジュールは軟らかい接着剤で、同一リンクに固定されていることによって、上記の課題を解決するものである。
【０００７】
なお、硬い接着剤とは、主として、エポキシ系、シアノアクリート系、ポリエステル系、ブチラール系、フェノール系の接着剤であり、軟らかい接着剤とは、主として、ゴム系、シリコン系の接着剤である。
【０００８】
請求項３に係るチェーン張力測定装置は、請求項１又は請求項２に係るチェーン張力測定装置の構成に加えて、前記ひずみゲージが固定されているリンクが断面コ字状のフレームによって覆われ、前記フレーム上に前記送信モジュールと前記給電手段としての電池が固定されていることによって、上記の課題を解決するものである。
【発明の効果】
【０００９】
請求項１に係る発明によれば、チェーンリンク等の被測定部材に固定されるひずみゲージと該ひずみゲージの出力を無線送信する前記被測定部材に固定される集積回路からなる送信モジュールと、前記ひずみゲージ及び前記送信モジュールに電力を供給する給電手段とからなるチェーン張力測定装置において、前記ひずみゲージと前記送信モジュールが同一リンクに配置されていることによって、前記ひずみゲージと前記送信モジュールとを結ぶ信号線が長いことや屈曲することに起因するノイズが抑制されると共に省スペース化が図られる。
【００１０】
請求項２に係るチェーン張力測定装置によれば、請求項１に係るチェーン張力測定装置が奏する効果に加えて、ひずみゲージは硬い接着剤で、送信モジュールは軟らかい接着剤で、同一リンクに固定されていることによって、母材の変形を正確にひずみゲージに伝えることができると共に、チェーンを無端状に駆動側スプロケットと従動側スプロケットに掛架して稼動状態で張力の測定を行う際に、スプロケット部で送信モジュールが受ける遠心力がひずみゲージに伝搬することを抑制できる。
【００１１】
請求項３に係るチェーン張力測定装置によれば、請求項１又は請求項２に係るチェーン張力測定装置が奏する効果に加えて、送信モジュール及び給電手段としての電池が、ひずみゲージが固定されたリンクを覆うように装着された断面コ字状のフレーム上に固定されるため、被測定部材の重量バランスが良くなり、装置の耐久性が高まると共に、より安定した正確な測定が可能になる。
【発明を実施するための最良の形態】
【００１２】
以下、図面を参照して、本発明のチェーン張力測定装置の実施例を説明する。
【実施例１】
【００１３】
図１は、本発明のチェーン張力測定装置の一実施例を示す斜視図である。被測定物であるチェーン１０は、左右一対の内プレート１１と該内プレート間に圧入するブシュ１２と前記内プレート１１の両外側に配置する左右一対の外プレート１３と前記ブシュ１２に遊貫して前記外プレート１３間に圧入する連結ピン１４とで少なくとも組み立て編成されている。
【００１４】
そして、１つの外プレート１３の端面にひずみゲージ１６を貼付している。さらにひずみゲージ１６を貼付した外プレート１３の側面にひずみゲージ１６の出力を無線送信する集積回路からなる送信モジュール１５が固定されている。なお、ひずみゲージ１６を貼付する場所としては、張力Ｆとひずみゲージ１６の出力（抵抗値）に直線性（正比例）が認められる場所が望ましく、外プレート１３の端面に接着剤で固定することが望ましい。
【００１５】
ひずみゲージ１６の外プレート端面への貼付には、母材の変形を正確にセンサに伝えるため、例えば、エポキシ系、シアノアクリート系、ポリエステル系、ブチラール系、フェノール系等の硬い接着剤を使用する。一方、送信モジュール１５の外プレート側面への貼付には、遠心力などの影響をひずみゲージ１６に伝えないため、例えば、ゴム系、シリコン系等の軟らかい接着剤を使用する。
【００１６】
ひずみゲージ１６及び送信モジュール１５に電力を供給する給電手段としては、特に限定されることはないが、図１に示したようにチェーンの張力測定を長手方向に牽引して行う際には、電源ケーブル１７を介して外部から給電するのが、確実で簡単であるため好ましい。一方、無端状のチェーンを駆動側スプロケット及び従動側スプロケットに掛架した状態で、チェーン１０の稼働状態での張力を測定する場合には、電源ケーブル１７による外部からの給電では、電源ケーブル１７が捻れたり、無理な力が電源ケーブル１７を介して送信モジュール１５に加わったりすることを避けるため送信モジュール１５を貼付した外プレート１３の前後の外プレートに小型の電池を接着して、その電池から送信モジュール１５に給電することが望ましい。
【００１７】
ひずみゲージとは、金属抵抗体に外力を加えて伸縮させると、ある範囲でその抵抗値も増減する。したがって、ひずみが生じる測定対象物に電気絶縁物を介して接着しておけば、測定対象物の伸縮に比例して金属抵抗体が伸縮し抵抗値が変化する。ひずみゲージ（電気抵抗式）は、この抵抗値変化によりひずみを測定するセンサである。また、ひずみゲージとして、半導体ひずみゲージを用いることによって、抵抗値変化が上述した金属抵抗体を用いたものよりも約５０倍のレンジをとれるため、増幅器等を用いることなく測定ができ非常に好適である。
【００１８】
次に、本発明のチェーン張力測定装置の別の実施例について、図面に基づき説明する。
【実施例２】
【００１９】
図２は、本発明のチェーン張力測定装置の別の実施例を示す斜視図である。被測定物であるチェーン２０は、左右一対の内プレート２１と該内プレート間に圧入するブシュ２２と前記内プレート２１の両外側に配置する左右一対の外プレート２３と前記ブシュ２２に遊貫して前記外プレート２３間に圧入する連結ピン２４とで少なくとも組み立て編成されている。
【００２０】
そして、１つの外プレート２３の端面にひずみゲージ２６を貼付している。さらにひずみゲージ２６を貼付した外プレート２３を覆うように断面コ字状のフレーム２８が装着され、このフレーム２８上の中央にひずみゲージ２６の出力を無線送信する集積回路からなる送信モジュール２５が接着剤で固定され、その送信モジュール２５を挟むように給電手段としての電池２９が接着剤で固定されている。
【図面の簡単な説明】
【００２１】
【図１】本発明のチェーン張力測定装置の実施例１の外観を示す斜視図である。
【図２】本発明のチェーン張力測定装置の実施例２の外観を示す斜視図である。
【符号の説明】
【００２２】
１０、２０  ・・・  チェーン
１１、２１  ・・・  内プレート
１２、２２  ・・・  ブシュ
１３、２３  ・・・  外プレート
１４、２４  ・・・  連結ピン
１５、２５  ・・・  送信モジュール
１６、２６  ・・・  ひずみゲージ
１７  ・・・  電源ケーブル
２８  ・・・  フレーム
２９  ・・・  電池
Ｆ    ・・・  張力
【図１】
2007051892.tif 000003
【図２】
2007051892.tif 000004